(57)【特許請求の範囲】
【請求項１】
内部電極と、前記内部電極と試料液体とを電気的に接続する充填材とを収容する収容体を備えた参照電極であって、
前記内部電極と、前記試料液体と前記充填材とが接触するための前記収容体に設けられた開口部との間において当該充填材が層を形成しており、
前記充填材が、水溶性電解質溶液からなり、前記内部電極に接触するように形成された第１層と、疎水性イオン液体からなり、前記第１層と接触するように形成された第２層と、ゲル化された疎水性イオン液体からなり、前記第２層に接触するとともに前記開口部に形成された第３層とから構成されることを特徴とする参照電極。
【請求項２】
前記第１層を構成する水溶性電解質溶液が、ゲル化されたものである請求項１記載の参照電極。
【請求項３】
前記第２層を構成する疎水性イオン液体が、ゲル化されていない液体である請求項１又は２記載の参照電極。
【請求項４】
前記第１層を構成する水溶性電解質溶液の比重が、前記第２層を構成する疎水性イオン液体の比重よりも軽い請求項１、２又は３記載の参照電極。
【請求項５】
前記第３層を構成する疎水性イオン液体の粘度が、１０００ｍＰａ・ｓ以上である請求項１、２、３又は４記載の参照電極。
【発明の詳細な説明】
【技術分野】
【０００１】
本発明は、電極電位の算出や電気化学測定の基準となる参照電極に関するものである。
【背景技術】
【０００２】
ｐＨ測定等において一定の基準電位を提示するために用いられる内部電極は、例えば銀／塩化銀等からなる内部電極を高濃度のＫＣｌ溶液からなる内部液に浸し、この内部液がセラミックスやガラス等の多孔質部材からなる液絡部を介して試料液体に接触するように構成してあるものがある。
【０００３】
ところで、参照電極の内部液として高濃度のＫＣｌ溶液を使用すると、常にＫ＋とＣｌ−が試料液体側に液絡部を介してＫＣｌが試料液体中に流出することにより、内部液のＫＣｌ濃度が低下してしまう。このＫＣｌ濃度の低下による基準電位の変動を防ぐためには、内部液を頻繁に補充、交換する必要がある。また、液体である内部液の揮発性を考慮して、内部液を収容する支持管内の容積を大きくする必要がある等の設計上の制約もある。
【０００４】
例えば、液間電位差の変動や液絡部の目詰まり、又はＫＣｌ溶液の試料液体への流出による減少を防ぐために、ＫＣｌ溶液を内部液として用いつつ、液絡部をゲル化した疎水性イオン液体により構成して塩橋とした参照電極について本出願人は出願している（特許文献１、２参照）。
【０００５】
しかしながら、これらの参照電極では、試料液体と接触するゲル化した疎水性イオン液体からは、わずかながらイオン液体を構成するイオンが試料液体へと流出する。そのため、ゲル中のイオン液体が所定量以下になることがあり、製品寿命を長くすることが難しくなる可能性がある。
【０００６】
このような問題に対して、疎水性イオン液体のゲルの厚みを大きくして多量のイオン液体を含ませることも考えられるが、例えば、疎水性イオン液体のゲル単独で形状を保ち続けることができる程度の硬さを保ちつつ、ゲルの厚みや大きさを大きくすることは、製造技術的に非常に難しく大きなコストがかかってしまう。
【先行技術文献】
【特許文献】
【０００７】
【特許文献１】特開２００７−６４９７１号公報
【特許文献２】国際公開公報ＷＯ２００８／０３２７９０号公報
【発明の概要】
【発明が解決しようとする課題】
【０００８】
本発明は上述したような問題点を鑑みてなされたものであり、製造するのが困難な所定以上の硬度又は粘度を有するとともに厚み等が大きいゲル化した疎水性イオン液体を用いる必要がなく、製品寿命を向上させることができる参照電極を提供することを目的とする。
【課題を解決するための手段】
【０００９】
すなわち、本発明の参照電極は、内部電極と、前記内部電極と試料液体とを電気的に接続する充填材とを収容する収容体を備えた参照電極であって、前記内部電極と、前記試料液体と前記充填材とが接触するための前記収容体に設けられた開口部との間において当該充填材が層を形成しており、前記充填材が、水溶性電解質溶液からなり、前記内部電極に接触するように形成された第１層と、疎水性イオン液体からなり、前記第１層と接触するように形成された第２層と、ゲル化された疎水性イオン液体からなり、前記第２層に接触するとともに前記開口部に形成された第３層とから構成されることを特徴とする。なお、「疎水性イオン液体」とは、詳細は後述するが、有機又は無機陽イオンと有機又は無機陰イオンとの組み合わせからなり、融点が１００℃以下で、水への溶解度が数ｍＭ（ｍｍｏｌ／ｄｍ３）程度以下の疎水性の塩を主として意味する。ここで、イオン液体は、イオン性液体又は常溶解塩等とも呼ばれる。さらに、「参照電極」とは、参照極、照合電極、基準電極、比較電極と同義である。また、本明細書中では、「溶液」及び「液体」は特に限定されていない限り、通常の液体だけでなく、ゲル化されて流動する状態及び形状を保つことができる状態をも含む概念である。
【００１０】
このようなものであれば、試料液体と接触する第３層から疎水性イオン液体を構成するイオンが試料液体に流出したとしても、第２層を構成する疎水性イオン液体からイオンが補充され、第２層がバッファーの働きをするので、第３層を構成する疎水性イオン液体のゲルがやせ細ってしまうのを防ぐことができる。従って、第３層を構成する疎水性イオン液体のゲルを厚く形成する必要がなく、所定の硬さを保ちつつ、容易に製造ができる程度の厚さで形成しておくことができる。
【００１１】
また、第３層は収容体の開口部に形成されているので、ゲル化した疎水性イオン液体は、開口部を塞ぐことができ、シール機能を保つことができる必要最小限度の量だけ用いればよく、厚みを大きくする必要がない。
【００１２】
さらに、第２層を構成する疎水性イオン液体は、収容体において第３層により蓋がされた状態となっているので、第２層単体で形状をしっかりと保つ必要が無く、液体や硬度の小さいゲル状の疎水性イオン液体を用いることができる。つまり、製造の容易な液体又は硬度の小さいゲル状の疎水性イオン液体で第２層を構成することができ、第３層にイオンを補充するのに必要な量を十分に充填しやすい。
【００１３】
また、第１層は水溶性電解質溶液により構成されており、第２層は疎水性イオン液体で構成されているため、第１層と第２層はお互いに溶けあうこともなく、たとえ混じりあったとしても自然に分離させることができる。
【００１４】
例えば、参照電極を横向きに倒した場合等において、第１層を構成する水溶性電解質溶液と第２層を構成する疎水性イオン液体とが混じり合うのを防ぐには、前記第１層を構成する水溶性電解質溶液が、ゲル化されたものであればよい。
【００１５】
前記第１層と前記第２層とが混じり合わないようにして、参照電極を常にすぐに使える状態を保てるようにするための具体的な実施の態様としては、前記第１層を構成する水溶性電解質溶液の粘度が、エマルジョンとならない程度の１００ｍＰａ・ｓ以上であればよい。
【００１６】
参照電極に用いる硬くゲル化された疎水性イオン液体の量をできる限り少なくし、製造を容易にするには、前記第２層を構成する疎水性イオン液体が、ゲル化されていない液体であればよい。
【００１７】
第１層と第２層とが混じり合うのをより防ぎやすくするには、前記第２層を構成する疎水性イオン液体が、ゲル化されたものであればよい。さらに、製造上の容易性を考えた場合、第２層の疎水性イオン液体の硬度又は粘度は、第３層の疎水性イオン液体の硬度又は粘度よりも小さいものにしておけばよい。
【００１８】
第１層と第２層の混合を好適に防ぐための具体的な態様としては、前記第２層を構成する疎水性イオン液体の粘度が、１００ｍＰａ・ｓ以上１０００ｍＰａ・ｓ以下であればよい。
【００１９】
第１層と第２層とが混じり合ったとしても、自然に第１層と第２層とをこの順で分離させるには、前記第１層を構成する水溶性電解質溶液の比重が、前記第２層を構成する疎水性イオン液体の比重よりも軽いものであればよい。
【００２０】
第３層を構成するゲル化された疎水性イオン液体の量をできる限り少なくし、第３層を開口部に固定しやすくするには、前記開口部が、前記収容体の内部側よりも外部側の方が小さく形成されていればよい。
【００２１】
第１層及び第２層の重量等により、第３層が開口部から外れてしまうのを防ぐには、前記第３層を構成する疎水性イオン液体の粘度が、１０００ｍＰａ・ｓ以上であればよい。
【発明の効果】
【００２２】
このように本発明の参照電極によれば、試料液体と接触する第３層から疎水性イオン液体を構成するイオンが流出したとしても、第２層がバッファーの働きをしてイオンが適宜補充されるので、第３層のゲルがやせ細ってしまうことを防ぐことができる。従って、第３層は薄くても問題はなく、硬く厚みのある疎水性イオン液体のゲルにする必要がないので、非常に製造しやすいものにすることができる。さらに、疎水性イオン液体によるシール機能は保たれ続けるので、製品寿命を従来よりも長くすることができ、基準電位の変動を防げる状態を長期間保つことができる。
【図面の簡単な説明】
【００２３】
【図１】本発明の一実施形態に係る参照電極を示す模式図。
【図２】同実施形態における支持管先端部における内部構造を示す模式的断面図。
【図３】別の実施形態における支持管先端部における内部構造を示す模式的断面図。
【図４】さらに別の実施形態における支持管先端部における内部構造を示す模式的断面図。
【発明を実施するための形態】
【００２４】
以下、本発明の一実施形態について図面を参照して説明する。
【００２５】
本実施形態に係る参照電極１００は、図１の外観図及び図２の試料液体４につけた状態での拡大図に示すように、概略円筒形状であるガラス製の支持管３（本発明の収容体に相当）を備えたものである。この支持管３が内部には、内部電極１が収容してあり、前記内部電極１と試料液体４とを電気的に接続する充填材２が充填してある。前記内部電極１には、リード線１１が接続してあり、リード線１１はこの支持管３の基端部から外部に延出し、図示しない計測機器に接続されるように構成してある。
【００２６】
前記支持管３は、前記試料液体４と前記充填材２とが接触できるようにその先端を開口させて開口部３１が形成してあるとともに、その先端中央部が突出させて、外径を基端側に比べて小さくしてある。
【００２７】
前記内部電極１は、例えばＡｇ／ＡｇＣｌ電極であり、内部の銀を塩化銀で被覆して構成してある。その他の態様としては、Ｈｇ／Ｈｇ２Ｃｌ２電極、Ｈｇ／Ｈｇ２ＳＯ４電極であっても構わない。
【００２８】
前記充填材２は、図２に示すように図前記内部電極１から前記支持管３の先端にある開口部３１との間において複数の層をなすように充填してある。より具体的には、前記充填材２は、水溶性電解質溶液からなり、前記内部電極１に接触するように形成された第１層２１と、疎水性イオン液体からなり、前記第１層２１と接触するように形成された第２層２２と、ゲル化された疎水性イオン液体からなり、前記第２層２２に接触するとともに前記開口部３１に形成された第３層２３とから構成してある。
【００２９】
前記第１層２１を構成する水溶性電解質溶液は、例えばＫＣｌ溶液である。なお、水溶性電解質溶液としては、内部電極１がＡｇ／ＡｇＣｌからなるものである場合はＣｌ−を含むものが使用でき、後述する第２層２２の疎水イオン液体に入り込むものでなければよい。また、後述する第２層の疎水性イオン液体が塩橋として機能することで、液間電位の発生を抑えることができるので、例えば、ＮａＣｌ溶液等を用いてもよい。また、Ｃｌ−と後述する疎水性イオン液体の陽イオンと同じカチオンからなる電解質溶液等を用いてもよい。これは疎水性イオン液体を構成するイオンと同じものは、電解質溶液から侵入しても特に問題がないためである。
【００３０】
このＫＣｌ溶液はゲル化してあり、常に前記内部電極１を被覆するとともに、その周辺の支持管３の内部を密閉するのに十分な粘度にして少なくとも前記内部電極１の周囲に設けてある。ここで、水溶性電解質溶液をゲル化する方法としては、特に限定されず、例えば、フッ化ビニリデン−ヘキサフルオロプロピレン共重合体、ポリメチルメタクリレート、ポリアクリロニトリル、ポリブチルアクリレート、及び、その他の合成ゴム等のポリマーを用いる方法が挙げられる。また、水溶性電解質溶液とポリマーの混合比を調整することにより、ゲルの粘度を調整してある。より具体的には、前記第１層２１を構成する水溶性電解質溶液の粘度は前記１００ｍＰａ・ｓ以上にしてある。
【００３１】
前記第２層２２を構成する疎水性イオン液体は、陽イオンが、４級アンモニウムカチオン、４級フォスフォニウムカチオン又は４級アルゾニウムカチオンの少なくとも１つ以上であり、陰イオンが、［Ｒ１ＳＯ２ＮＳＯ２Ｒ２］−（Ｒ１、Ｒ２はそれぞれ炭素数１〜５のパーフルオロアルキル基）、フッ素及び４価のホウ素を含むボレートイオン、ビス（２−エチルヘキシル）スルホサクシネイト、ＡｌＣｌ４−、Ａｌ３Ｃｌ７−、ＮＯ３−、ＢＦ４−、ＰＦ６−、ＣＨ３ＣＯＯ−、ＣＦ３ＣＯＯ−、ＣＦ３ＳＯ３−、（ＣＦ３ＳＯ２）２Ｎ−、（ＣＦ３ＳＯ２）３Ｃ−、ＡｓＦ６−、ＳｂＦ６−、Ｆ（ＨＦ）ｎ−、ＣＦ３ＣＦ２ＣＦ２ＣＦ２ＳＯ３−、（ＣＦ３ＣＦ２ＳＯ２）２Ｎ−、又はＣＦ３ＣＦ２ＣＦ２ＣＯＯ−の少なくとも１つ以上であるものが挙げられ、これらの疎水性イオン性液体から用途に合わせて適宜選択して用いている。
【００３２】
この第２層２２を構成する疎水性イオン液体は、ゲル化されていない液体であり、第２層２２の厚みが大きかったとしても容易に製造できるようにしてある。また、前記第１層２１を構成する電解質溶液の比重が、前記第２層２２を構成する疎水性イオン液体の比重よりも軽くなるようにしてある。
【００３３】
前記第３層２３は、前記開口部３１を塞ぐように設けられた疎水性イオン液体のゲル化膜であり、前記第２層２２の疎水性イオン液体と同じ組成をもつものである。第３層２３は、第２層２２とともに塩橋として機能するとともに、第３層２３により試料液体４が支持管３の内部に直接接触しないようにシール機能を発揮するようにしてある。この疎水性イオン液体をゲル化する方法は、前述した水溶性電解質溶液をゲル化する方法と同様であり、その粘度は、第１層２１と第２層２２の重量が加わったとしても前記第３層２３が外れないようにしてある。より具体的には、第３層２３を構成する疎水性イオン液体の粘度は１０００ｍＰａ・ｓ以上となるようにしてある。
【００３４】
このように構成された参照電極１００によれば、第３層２３を構成する疎水性イオン液体のゲルが、試料液体４と接触することにより自身を構成するイオンが流出したとしても、第２層２２を構成する疎水性イオン液体がバッファーとして働き、イオンが補充されることになる。従って、構成イオンの流出によるゲルの縮小を防ぐことができるので、製造の難しい厚みの大きい硬いゲル状の疎水性イオン液体を作らなくても製品寿命を長くすることができる。つまり、第３層２３を構成する疎水性イオン液体のゲルを厚く形成する必要がなく、所定の硬さを保ちつつ、容易に製造ができる程度の厚さで形成しておくことができる。
【００３５】
さらに、支持管３の先端の一部において小径に開口してある開口部３１のみを塞ぐようにしてあるので、疎水性イオン液体のゲル状膜を容易に製造することができる薄さにできる。
【００３６】
また、前記第３層２３をゲル状にして開口部３１を塞ぐようにしてあり、蓋がされた状態となっているので、前記第２層２２は自身で形状を保つ必要がなく、第２層２２を構成する疎水性イオン液体は液体にすることができる。つまり、硬くする必要がないので、第２層２２の厚みを大きくしたとしても容易に低コストで製造でき、第３層２３に対してバッファーとして長期間機能するのに十分な量にすることができる。
【００３７】
加えて、第１層２１は水溶性電解質溶液により構成されており、第２層２２は疎水性イオン液体で構成されているため、第１層２１と第２層２２はお互いに溶けあうこともなく、たとえ混じりあったとしても自然に分離させることができ、しかも、第１層２１の方が第２層２２よりも比重が軽いので、参照電極１００を立てておくだけで層の順番を元に戻すことができる。
【００３８】
また、前記第１層２１を構成する水溶性電解質溶液はゲル化されており、支持管３内に隙間がないようしてあるので、参照電極１００を横向けにした場合でも第１層２１と第２層２２が混じりあうことを防ぐことができる。
【００３９】
その他の実施形態について説明する。
【００４０】
前記実施形態では第２層を構成する疎水性イオン液体は、ゲル化されていない液体の状態であったが、ゲル化しても構わない。この場合、第３層を構成する疎水性イオン液体のゲルの硬さよりも、ゆるいゲル状にしておき、製造を容易にしておくことが好ましい。第２層を構成する疎水性イオン液体の具体的な粘度としては１００ｍＰａ・ｓ以上１０００ｍＰａ・ｓ以下の範囲にあればよい。このような範囲で第２層をゲル化しておくことにより、製造が容易であるとともに第１層と第２層とが混じり合うのを防ぐこともできる。
【００４１】
また、前記実施形態では、第１層を構成する水溶性電解質溶液がゲル化されていたが、液体であっても構わない。ここで水溶性電解質溶液やイオン液体がゲル化されていない液体の状態であるとは、例えば、各液体とゲル化のためのポリマーを混合していない状態のものや、ポリマーがごく少量だけ混合されていたとしても実質的に粘度等に変化が生じていない状態のものが挙げられる。またゆるいゲル状とは、例えば水溶性電解質溶液やイオン液体が単体で形状を保つことができず、ゲル化されていない液体の状態よりは、粘度が高い状態が挙げられる。
【００４２】
第３層は前記実施形態では、支持管の先端における突出部分だけを塞ぐように設けていたが、製造が容易な範囲でさらに内部側まで層の厚みがあってもよい。図３に示すように、第３層２３を薄平板状の中央部をわずかに突出させた形状にしたゲルにしておけば、第３層２３が支持管に対して引っ掛かる場所ができるので、第３層２３を開口部３１に対してより脱落しにくくできる。また、開口部２１に多孔質材を設けておき、その孔にゲル化した疎水性イオン液体を含ませておくことで、第３層２３が保持されやすいようにしてもかまわない。
【００４３】
加えて、前記実施形態の開口部３１は、まっすぐに穴が形成してあったが、例えば、図４に示すように、前記開口部３１がテーパ状になっており、支持管３の内側の開口径が先端側の開口径よりも大きく設定してあるものであっても構わない。このようなものであっても、第３層を構成するゲル化した疎水性イオン液体が脱落するのを防ぎやすくすることができる。
【００４４】
加えて、第１層、第２層の厚みも適宜変更可能であり、例えば、第１層と第２層に内部電極が接触するようにしてもかまわない。この場合は、温度補償等の補正手段を用いて基準電圧が変動しないようにすればよい。また本発明の参照電極と種々の測定用電極とを組み合わせることにより、イオン濃度測定やｐＨ測定等に用いても構わない。
【００４５】
その他、本発明の趣旨に反しない限りにおいて、様々な変形や実施形態の組み合わせを行っても構わない。
【符号の説明】
【００４６】
１００・・・参照電極
１・・・内部電極
２・・・充填材
２１・・・第１層
２２・・・第２層
２３・・・第３層
３・・・支持管（収容体）
４・・・試料液体
【図１】
0005356336.tif 000002
【図２】
0005356336.tif 000003
【図３】
0005356336.tif 000004
【図４】
0005356336.tif 000005